(57)【要約】【課題】独立して形成されたダミー電極とこのダミー電極に隣接する表示用電極との間における放電を防止することにより、前記表示用電極の断線の防止を図る。【解決手段】ダミー電極１２を、各表示用電極６のうちダミー電極１２に隣接する表示用電極６ａの面積に対して０．５〜２倍の大きさに形成する。【選択図】図１
2004205940.tif 000002
【特許請求の範囲】
【請求項１】
液晶表示パネルの一方の基板を形成するための液晶表示パネル基板形成領域を複数備え、前記液晶表示パネル基板形成領域内の表示領域に複数の表示用電極が配設され、非表示領域に前記各表示用電極と独立して構成される複数のダミー電極が配設されている液晶表示パネル用マザー基板において、
前記ダミー電極が、前記各表示用電極のうち前記ダミー電極に隣接する表示用電極の面積に対して０．５〜２倍の大きさに形成されていることを特徴とする液晶表示パネル用マザー基板。
【請求項２】
前記ダミー電極における前記表示用電極側の角部が、平面形状において曲線状に形成されている請求項１に記載の液晶表示パネル用マザー基板。
【請求項３】
基板の表示領域に複数の表示用電極が配設され、非表示領域に前記各表示用電極と独立して構成される複数のダミー電極が配設されている液晶表示パネルにおいて、
前記ダミー電極が、前記各表示用電極のうち前記ダミー電極に隣接する表示用電極の面積に対して０．５〜２倍の大きさに形成されていることを特徴とする液晶表示パネル。
【請求項４】
前記ダミー電極における前記表示用電極側の角部が、平面形状において曲線状に形成されている請求項３に記載の液晶表示パネル。
【発明の詳細な説明】
【０００１】
【発明の属する技術分野】
本発明は液晶表示パネル用マザー基板および液晶表示パネルに係り、特に、各表示用電極とは独立して形成されているダミー電極を有する液晶表示用マザー基板および液晶表示パネルに関する。
【０００２】
【従来の技術】
一般に、中間に液晶を充填した一対の基板の所定の部分に、選択的に電界を与えて特定の図形や文字等の画像を表示するための液晶表示パネルが、コンピュータや携帯電話等の表示画面として多く用いられている。
【０００３】
この液晶表示パネルにおいては、一対の基板の相互に対向する面における表示領域に複数の表示用電極が配設されており、これら各表示用電極の表面には、ラビング処理がされた配向膜が配設されている。また、前記一対の基板は、前記一対の基板の相互に対向する面における周辺部に配設されたシール材により一体に形成されており、このシール材に囲まれた面内には、液晶および複数のスペーサが封入されている。
【０００４】
また、前記液晶表示パネルの基板を形成するための液晶表示パネル基板形成領域を複数備えた液晶表示パネル用マザー基板は、前記液晶表示パネル形成領域内の非表示領域において前記各表示用電極の一端部分に接続される引出電極が形成されている部分と、前記引出電極が形成されていない部分とを有するものがある。このような液晶表示パネル用マザー基板においては、前記表示領域における各表示用電極が形成されている部分、および前記非表示領域における引出電極が形成されている部分と、前記非表示領域における引出電極が形成されていない部分との間において段差が生じ、前記液晶表示パネル用マザー基板の表面は平坦でなくなってしまう。
【０００５】
このため、前記液晶表示パネル用マザー基板を載置台に載置し、ラビング布を巻いたローラによって前記各表示用電極の表面に形成された配向膜を擦ってラビング処理を行う際、前記非表示領域における引出電極が形成されていない部分の近傍に配置された表示用電極の表面に加わるラビング布の接触圧は、他の各表示用電極の表面に加わるラビング布の接触圧と比較して小さくなってしまう。この結果、配向処理の状態が部分的に異なるいわゆるラビングむらが生じてしまい、このような液晶表示パネル用マザー基板を用いて製造された液晶表示パネルによって表示を行う場合には、表示むらが生じて良好な画像の表示を行うことができないおそれがある。
【０００６】
そこで、前記非表示領域における引出電極が形成されていない部分には、従来よりラビングむらを防止するため、複数のダミー電極が前記各表示用電極および引出電極とは独立して前記表示用電極と同一の厚さとなるように形成されている（特許文献１参照）。
【０００７】
【特許文献１】
特開２００２−１８９２２５号公報（図３）
【０００８】
【発明が解決しようとする課題】
しかし、前記液晶表示パネル用マザー基板においては、前記各表示用電極および前記ダミー電極の表面に形成した配向膜をラビング布を巻いたローラで擦ってラビング処理を行う際、前記各表示用電極および前記ダミー電極に電荷が蓄積される。このとき、前述のように前記液晶表示パネルにおいて前記各表示用電極と前記ダミー電極との面積比が大きく異なると、前記各表示用電極と前記ダミー電極とに蓄積される電荷の量に差が生じる。このような液晶表示パネル用マザー基板においては、例えばラビング処理を行った後に前記液晶表示パネル用マザー基板を前記載置台から取り外すとき等に、前記ダミー電極に蓄積された電荷が前記ダミー電極から前記表示用電極に向かって放電することがあり、この結果、前記表示用電極が断線するおそれがあった。
【０００９】
本発明はこれらの点に鑑みてなされたものであり、独立して形成されたダミー電極とこのダミー電極に隣接する表示用電極との間における電荷の放電の発生を防止することにより、前記表示用電極の断線などの不具合の防止を図ることができる液晶表示パネル用マザー基板および液晶表示パネルを提供することを目的とする。
【００１０】
【課題を解決するための手段】
前記目的を達成するため、請求項１に記載の発明に係る液晶表示パネル用マザー基板は、液晶表示パネルの一方の基板を形成するための液晶表示パネル基板形成領域を複数備え、前記液晶表示パネル基板形成領域内の表示領域に複数の表示用電極が配設され、非表示領域に前記各表示用電極と独立して構成される複数のダミー電極が配設されている液晶表示パネル用マザー基板において、前記ダミー電極が、前記各表示用電極のうち前記ダミー電極に隣接する表示用電極の面積に対して１．５〜２倍の大きさに形成されていることを特徴とする。
【００１１】
この請求項１に記載の発明によれば、ダミー電極が隣接する表示用電極の面積と同程度の面積となる大きさに形成されているので、各表示用電極やダミー電極の表面に形成された配向膜にラビング処理を行った際にダミー電極や隣接する表示用電極に電荷が蓄積されてしまっても、このダミー電極および表示用電極に蓄積された電荷量をほぼ同じ量として、ダミー電極から表示用電極に向かう電荷の放電の発生を防止することができる。
【００１２】
また、請求項２に記載の発明に係る液晶表示パネル用マザー基板は、前記ダミー電極における前記表示用電極側の角部が、平面形状において曲線状に形成されている。
【００１３】
この請求項２に記載の発明によれば、各ダミー電極における表示用電極側の各角部の形状は平面形状が曲線状に形成されているので、前記ダミー電極と前記表示用電極との間の電荷の放電をさらに防止することができる。
【００１４】
また請求項３に記載の発明に係る液晶表示パネルは、基板の表示領域に複数の表示用電極が配設され、非表示領域に前記各表示用電極と独立して構成される複数のダミー電極が配設されている液晶表示パネルにおいて、前記ダミー電極が、前記各表示用電極のうち前記ダミー電極に隣接する表示用電極の面積に対して１．５〜２倍の大きさに形成されていることを特徴とする。
【００１５】
この請求項３に記載の発明によれば、ダミー電極が隣接する表示用電極の面積と同程度の面積となる大きさに形成されているので、各表示用電極やダミー電極の表面に形成された配向膜にラビング処理を行った際にダミー電極や隣接する表示用電極に電荷が蓄積されてしまっても、このダミー電極および表示用電極に蓄積された電荷量をほぼ同じ量として、ダミー電極から表示用電極に向かう電荷の放電を防止することができる。
【００１６】
さらに、請求項４に記載の発明に係る液晶表示パネルは、前記ダミー電極における前記表示用電極側の角部が、平面形状において曲線状に形成されている。
【００１７】
この請求項４に記載の発明によれば、各ダミー電極における表示用電極側の各角部の形状は平面形状が曲線状に形成されているので、前記ダミー電極と前記表示用電極との間の電荷の放電をさらに防止することができる。
【００１８】
【発明の実施の形態】
以下、本発明に係る液晶表示パネル用マザー基板の実施形態を図１から図３を参照して説明する。
【００１９】
図１は、本実施形態に係る液晶表示パネル用マザー基板の一部を示す平面概念図であり、図１は、液晶表示パネルが有する一対の基板のうち一方の基板を構成するための液晶表示パネル用マザー基板の一部を示す図とする。
【００２０】
図１に示すように、ガラスやプラスチック等により構成された液晶表示パネル用マザー基板１は、液晶表示パネルとして表示を行う複数の表示領域２と、これら表示領域２の周辺部分であって表示を行わない非表示領域３と、これら非表示領域３に隣接し他方の基板と比較して平面形状において突出して形成される部分である電極端子部４とを備えている。
【００２１】
前記各表示領域２には、ＩＴＯ（Indium Tin Oxide：インジウムスズ酸化物）等の材料からなる複数の表示用電極６が整列して配設されており、これら各表示用電極６の一端部は、前記非表示領域３における引出電極７と接続され、前記電極端子部４まで延設されて電極端子８とされている。本実施形態においては、引出電極７および電極端子８を含めて表示用電極６とする。
【００２２】
また、前記各非表示領域３の引出電極が形成されていない部分における前記表示領域２と近接する部分には、ＩＴＯ等の材料からなる複数のダミー電極１２が前記各表示用電極２と同一の厚さ寸法となるように形成されている。
【００２３】
これら各ダミー電極１２は、隣接する表示用電極６ａの面積に対して０．５〜２倍、好ましくは０．８〜１．５倍、特にほぼ同一の大きさとなるように形成されている。本実施形態においては、これら各ダミー電極１２は、前記表示用電極６ａの形成方向に対して直交する方向に形成され、その前記表示用電極６ａ側の一端部が前記表示用電極６ａの形成方向と平行な方向に折曲して延設され、さらに折曲された一端部が前記表示用電極６ａから離れる方向であって前記表示用電極６ａの形成方向と直交する方向に折曲して延設されている。また、これら各ダミー電極１２における前記表示用電極６ａ側の各角部１３は、平面形状において曲線状となるように形成されている。これらダミー電極１２は、前記各表示用電極６等の形成工程と同じ工程において、ＩＴＯをスパッタ法等によって前記液晶表示パネル用マザー基板１に成膜し、このＩＴＯ膜をフォトリソ法によってパターニングすることにより、前記各表示用電極６等と同時に形成されている。
【００２４】
なお、これら各ダミー電極１２の形状は、隣接する表示用電極６ａの面積とほぼ同じ程度の面積となる大きさであれば、前記形状に限定されるものではない。例えば、図２に示すように、ダミー電極１２は、隣接する表示用電極６ａの形成方向と直交する方向に複数（図２においては４つ）の電極片１５を配設し、これら各電極片１５における表示用電極６ａ側の一端部を全て接続して、隣接する表示用電極６ａの面積とほぼ同一の面積となるように形成されるものであってもよい。また、図３に示すように、隣接する表示用電極６ａの形成方向と直交する方向に複数の電極片１６を配設し、これら各電極片１６における表示用電極６ａ側の一端部、および前記各電極片１６の長さ方向におけるほぼ中央部分を全て接続して、前記表示用電極６ａの面積とほぼ同一の面積となるように形成されるものであってもよい。
【００２５】
この液晶表示パネル用マザー基板１においては、前記各表示用電極６やダミー電極１２等の表面に配向膜（図示せず）を形成してラビング処理を行った後、前記液晶表示パネル用マザー基板１における各非表示領域３の周辺部分にシール材（図示せず）を塗布して、他の液晶表示パネル用マザー基板（図示せず）と一体に貼り合わせる。その後、各液晶表示パネル基板形成領域毎に切断し、続いて各シール材の内部に液晶およびスペーサ（図示せず）を封入することにより、図示しない液晶表示パネルを構成するようになっている。
【００２６】
次に、本実施形態の作用について説明する。
【００２７】
本実施形態によれば、各ダミー電極１２が隣接する表示用電極６ａの面積とほぼ同一の面積となるように形成されているので、前記各表示用電極６やダミー電極１２等の表面に形成された配向膜にラビング処理を行った際に前記ダミー電極１２や隣接する表示用電極６ａに電荷が蓄積されても、前記ダミー電極１２および前記表示用電極６ａに蓄積された電荷量をほぼ同じ量とすることができる。
【００２８】
したがって、前記各ダミー電極１２と、それらのダミー電極１２に隣接する表示用電極６ａとに蓄積される電荷量をほぼ同じ量とすることができるので、これにより、前記各ダミー電極１２と前記表示用電極６ａとの間に電荷の放電が発生することを防止することができ、この結果、前記表示用電極６ａの断線を防止することができる。
【００２９】
また、前記各ダミー電極１２における前記表示用電極６ａ側の各角部１３の形状は平面形状において曲線状に形成されているので、前記ダミー電極１２と前記表示用電極６ａとの間の電荷の放電をさらに防止することができ、前記表示用電極６ａの断線をより確実に防止することができる。
【００３０】
なお、本発明は前記実施形態に限定されるものではなく、必要に応じて種々の変更をすることが可能である。
【００３１】
【発明の効果】
以上述べたように、請求項１に記載の発明に係る液晶表示パネル用マザー基板によれば、ダミー電極と、そのダミー電極に隣接する表示用電極とに蓄積される電荷量をほぼ同じ量とすることができるので、これにより、前記ダミー電極と表示用電極との間に電荷の放電が発生することを防止することができ、この結果、前記表示用電極の断線を防止することができる。
【００３２】
また、請求項２に記載の発明に係る液晶表示パネル用マザー基板によれば、ダミー電極における表示用電極側の各角部の形状は平面形状において曲線状に形成されているので、前記ダミー電極と前記表示用電極との間の電荷の放電の発生をさらに防止することができ、前記表示用電極の断線を確実に防止することができる。
【００３３】
また、請求項３に記載の発明に係る液晶表示パネルによれば、ダミー電極と、そのダミー電極に隣接する表示用電極とに蓄積される電荷量をほぼ同じ量とすることができるので、これにより、前記ダミー電極と表示用電極との間に電荷の放電が発生することを防止することができ、この結果、前記表示用電極の断線を防止することができる。
【００３４】
また、請求項４に記載の発明に係る液晶表示パネルによれば、ダミー電極における表示用電極側の各角部の形状は平面形状において曲線状に形成されているので、前記ダミー電極と前記表示用電極との間の電荷の放電の発生をさらに防止することができ、前記表示用電極の断線を確実に防止することができる。
【図面の簡単な説明】
【図１】本発明に係る液晶表示パネル用マザー基板における各電極構造の一部を示す平面図
【図２】本発明に係る他の液晶表示パネル用マザー基板における各電極構造の一部を示す平面図
【図３】本発明に係る他の液晶表示パネル用マザー基板における各電極構造の一部を示す平面図
【符号の説明】
１  液晶表示パネル用マザー基板
２  表示領域
３  非表示領域
６  表示用電極
１２  ダミー電極
１３  角部
【図１】
2004205940.tif 000003
【図２】
2004205940.tif 000004
【図３】
2004205940.tif 000005